(57)【特許請求の範囲】
【請求項１】
電池のためのパッケージであって、支持体に回転パネルが配置されており、該回転パネルが複数の電池のための成形部を有しており、且つ前記支持体には個々の電池を回転パネルから取出すための開口が設けられている形式のものにおいて、回転パネルが、互いに接着又は熱融着されている支持体とカバーとの間に回転可能に配置されており、該カバーが前記回転パネルのための開口を有しており、且つ前記支持体が閉鎖可能な舌片を有しており、該舌片を通って個々の電池が前記回転パネルから取出し可能であり、カバーの開口の周囲には、該開口内に突入した複数の、突起のペアが設けられており、それぞれ２つの突起が、互いに間隔を置いて配置されていて、その間隔が、回転パネルに設けられた電池収容部のための成形部の上側の区分にほぼ一致することを特徴とする、空気・亜鉛電池のための販売及び保管用パッケージ。
【請求項２】
舌片が再閉鎖のために、差込保持装置としてのスリットに差込可能であって、該スリットがカバーに設けられている、請求項１記載のパッケージ。
【請求項３】
支持体又はカバーが実質的に平らである、請求項１記載のパッケージ。
【請求項４】
舌片を覆ってラベルが設けられており、該ラベルが、電池を最初に使用する際もしくは最初に取出す際に破壊される、請求項１記載のパッケージ。
【発明の詳細な説明】
【０００１】
【発明の属する技術分野】
本発明は、電池（ｇａｌｖａｎｉｓｃｈｅ  Ｚｅｌｌｅ）、特に空気・亜鉛電池（Ｚｉｎｋ／Ｌｕｆｔｚｅｌｌｅ）のための販売及び保管用パッケージであって、支持体に回転パネルが配置されており、該回転パネルが複数の電池のための成形部を有しており、且つ前記支持体には個々の電池を回転パネルから取出すための開口が設けられている形式のものに関する。
【０００２】
【従来の技術】
ボタン形電池の形状をした空気・亜鉛電池が、特に補聴器のために、ますます使用されるようになってきたことに基づいて、必然的に、この大量生産品のパッケージは１つの重要な要素となる。パッケージは、一方で経済的でなければならないし、他方では購買意欲を促すために、魅力的な外観も有していなければならない。
【０００３】
薬品産業の錠剤用パッケージに依拠して、再充電可能なＮｉ／Ｃｄシステム又はＡｇ２Ｏ／Ｚｎ及びＨｇＯ／Ｚｎの一次システムの気密性のボタン形電池のために、例えば互いに組み合わされた２つのプラスチックシェルから成ったパッケージが採用された。これらのプラスチックシェルの内の一方のシェルは電池を収容するために、円形に配置された複数の室に分割されており、且つ他方のシェルに対して回転することができて、収容室は順々に、他方のシェルに設けられた取出し口に重なって、その都度電池を取出すことができるようになっていた。
【０００４】
しかしながら、空気・亜鉛電池の場合には特別な問題があって、空気・亜鉛電池の、カソードカップ（Ｋａｔｈｏｄｅｎｂｅｃｈｅｒ）に位置する空気流入開口は、使用開始の時点まで空気侵入及び湿気から保護されなければならない。つまり、電池はパッケージ内においても保管が利かなければならない。
【０００５】
相応のパッケージエレメントとしては、例えばドイツ連邦共和国特許公開第３６３０９２６号明細書に記載されたストリップ包装（Ｄｕｒｃｈｄｒｕｅｃｋｐａｃｋｕｎｇ）が挙げられる。鉢形のエンボス加工部を備えた耐裂性、気密性及び透明のプラスチックシートと、このプラスチックシートに熱融着されたアルミニウムシートとの間で、電池は、その中で総体的に周辺空気から保護されている。
【０００６】
アメリカ合衆国特許第４０１５７０８号明細書には、空気・亜鉛電池のためのパッケージエレメントとして、折り畳み可能な箱が開示されている。この箱は、ボタン形電池を収容するための円形の切欠きを備えていて板紙（Ｋａｒｔｏｎ）から成る支持体を有しており、ボタン形電池の底部は、支持体の、下側のシートカバーに貼り付けられている。
【０００７】
空気・亜鉛電池のための販売用パッケージの別の構成は、ドイツ連邦共和国特許公開第４１２８２４８号明細書に開示されている。このドイツ連邦共和国特許公開明細書には、空気・亜鉛電池のための、支持体を備えた販売及び保管用パッケージが記載されており、この支持体に、電池の、空気流入開口が設けられている底部が貼り付けられている。このパッケージの場合、支持体には、電池形状に実質的に適合された鉢形の切欠きを備えていて透明なプラスチックから成るカバーが固着されている。電池は使用する際に支持体を通過して押出されることが可能である。支持体には、別のシートが固着されていて、このシートは支持体の領域内に広がっている。電池はこのシートを通過して押出し可能であり、シートには少なくともその部分に接着層が設けられており、この接着層に電池の底部が付着しているが、接着層は、電池を押出して引きはがした後には、支持体に留まる。
【０００８】
【特許文献１】
ドイツ連邦共和国特許公開第３６３０９２６号明細書
【特許文献２】
アメリカ合衆国特許第４０１５７０８号明細書
【特許文献３】
ドイツ連邦共和国特許公開第４１２８２４８号明細書
【０００９】
【発明が解決しようとする課題】
したがって本発明の課題は、冒頭で述べた形式のパッケージを更に改良して、個々の電池が販売前にパッケージから気付かれずに取出されてしまうことがなくて、再閉鎖することができて、且つ電池の取出し時に簡単に取り扱うことができるように構成された、空気・亜鉛電池のための販売及び保管用パッケージを提供することである。
【００１０】
【課題を解決するための手段】
この課題を解決するために本発明の構成では、回転パネルが、互いに接着又は熱融着されている支持体とカバーとの間に回転可能に配置されており、該カバーが前記回転パネルのための開口を有しており、且つ前記支持体が、閉鎖可能な舌片を有しており、該舌片を通って個々の電池が前記回転パネルから取出し可能であるようにした。請求項２以下には、本発明の有利な構成が記載されている。これらの構成は、以下に詳説される。請求項の文面は、実施例の説明の内容に対して明示的な関連を有している。
【００１１】
【発明の効果】
本発明によるパッケージは、特に有利には、販売又は保管用パッケージとして役立つために構成されている。このパッケージは、極めて多種の電池のために構成され得る。有利には、このパッケージは空気・亜鉛電池又はボタン形電池のために構成されている。これらの電池に関して、上記した特徴のいくつかが顧慮されなければならない。この特徴は、本発明の可能な実施態様により特に有利に達成され得る。
【００１２】
支持体とカバーとは平らな材料であってよい。これに関して、プラスチック、同じく極めて有利には板紙材料も考慮するに値する。回転パネルは確かに有利には透明であって、これにより電池を透視することが可能で、例えば技術的な記載事項を読むことができる。しかしながら、回転パネルは非透明の材料から成っていてもよく、このことは、より簡単な構成を可能にするし、また別の理由を有することもできる。
【００１３】
【発明の実施の形態】
以下に図面を参照しながら本発明の実施例について詳説する。
【００１４】
図１に示したパッケージは、支持体板紙１と、カバー板紙２と、透明の材料から成る回転パネル３とにより構成されている。回転パネル３は、複数の成形部４を有しており、これらの成形部４は、収容したいボタン形電池に対応しており、例えば６つの電池のためである。当該のボタン形電池５は、電池を使用する前に空気が侵入してしまうことを防止できるラベル６を備えており、図１からも見て取ることができる。
【００１５】
カバー板紙２は回転パネル３のための中央の開口７を有している。支持体板紙１は開口８を有しており、開口８は図５に示されている。回転パネル３は、組立の経過を示した図２〜図４に従って、回転可能にカバー板紙２と支持体板紙１との間に支承されている。これらの両方の構成部材は、互いに接着又は熱融着されているので、ボタン形電池５を、パッケージを破壊せずに回転パネル３から取出すことは不可能である。支持体板紙１に設けられた開口８に、回転パネル３の中央部に一体成形された突起が係合する。これにより回転支承部が形成される。
【００１６】
図５に示されているように、支持体板紙１には、フラップ式に外方に開けることのできる舌片９が設けられている。個々の電池の取出しは、フラップ式に外方に開けることのできる舌片９の開放によってのみ可能である。舌片９は再閉鎖のために、差込保持装置としてカバー板紙２に設けられたスリット１０に差込可能である。舌片９を覆って、ラベル１３が設けられていて、このラベル１３は、ボタン形電池５を最初に使用する際もしくは最初に取出す際に破壊され、これにより、パッケージが新しいことが保証される。
【００１７】
本発明による装置の取り扱いに関して、カバー板紙２の開口７の周囲に沿って、開口７に向かって突入する突起１２が設けられていることは、特に有利である。それぞれ２つの、このような形式の突起１２は、互いに間隔を置いて配置されていて、この間隔は、回転パネル３に設けられた電池収容部４の上側の区分にほぼ一致している。開口７の周囲に沿って、このような突起１２の複数のペア、例えば６つのペアが配置されている。これらの突起１２により、回転パネル３の回転時に、その都度１つの適当な電池取出し位置が設定される。この電池取出し位置は、パッケージの前面においても突起１２に基づいて視覚的に認めることができる。
【００１８】
新しいパッケージにより、複雑ではなくて常に適切にボタン式電池を、力を必要とせずに取出すことが可能になる。個々のボタン式電池がパッケージから脱落してしまったり又は気付かないうちに外れてしまうことはない。回転パネル３は、ボタン形電池を取り外す際に、簡単に正しい位置に着くことができる。このために設けられた係止突起はパッケージ前面に良好に見て取ることができる。パッケージの背面に設けられた保証ラベルにより、製品が無傷であることが保証される。それというのは、ディスペンサ舌片（Ｓｐｅｎｄｅｌａｓｃｈｅ）が既に開封されたかどうか容易に識別できるからである。
【図面の簡単な説明】
【図１】本発明によるパッケージの構造と、組立の経過の第１段階を示す図である。
【図２】組立の第２段階を示す図である。
【図３】組立の第３段階を示す図である。
【図４】組立の最終段階を示す図である。
【図５】本発明によるパッケージの背面図である。
【符号の説明】
１  支持体板紙、  ２  カバー板紙、  ３  回転パネル、  ４  成形部、  ５ボタン形電池、  ６  ラベル、  ７  開口、  ８  開口、  ９  舌片、  １０スリット、  １２  突起、  １３  ラベル
【図１】
0004574943.tif 000002
【図２】
0004574943.tif 000003
【図３】
0004574943.tif 000004
【図４】
0004574943.tif 000005
【図５】
0004574943.tif 000006